(57)【特許請求の範囲】
【請求項１】
組織部位を治療するためのシステムにおいて、
減圧を適用するように構成された減圧源と；
前記減圧源と流体連通し、かつ前記組織部位に減圧を分配するように構成されたマニホールドと；
ドレープであって、
１００ミクロンを上回る厚さを有する、シリコーンで形成された接着剤層であって、第１の面および第２の面を有する接着剤層、
前記接着剤層の前記第１の面に形成されたプラズマ処理された、厚さ５ミクロンのプラズマ層
を含み、
前記接着剤層の前記第２の面が、少なくとも前記組織部位に接着し、かつ前記マニホールドを被覆して、前記組織部位内の前記マニホールドの上側を覆う密閉空間を生じるように構成されている、ドレープと
を含むことを特徴とする、システム。
【請求項２】
請求項１に記載のシステムにおいて、前記接着剤層の厚さが８０ミクロン〜６００ミクロンであることを特徴とする、システム。
【請求項３】
請求項１に記載のシステムにおいて、前記ドレープが、さらに、前記接着剤層内に配置されたスクリム層を含むことを特徴とする、システム。
【請求項４】
請求項１に記載のシステムにおいて、前記ドレープが、さらに、前記接着剤層内に配置されたスクリム層を含み、
前記スクリム層が、前記接着剤層の前記第２の面よりも前記接着剤層の前記第１の面に近接していることを特徴とする、システム。
【請求項５】
請求項１に記載のシステムにおいて、前記ドレープが、さらに、前記接着剤層内に配置されたスクリム層を含み、
前記スクリム層が、前記接着剤層の前記第２の面よりも前記プラズマ層に近接していることを特徴とする、システム。
【請求項６】
請求項１に記載のシステムにおいて、前記ドレープが、さらに、前記プラズマ層にラミネートされた支持フィルムを含むことを特徴とする、システム。
【請求項７】
組織部位を治療するためのドレッシングにおいて、
前記組織部位に減圧を分配するように構成された複数の流路を有するマニホールドと；
ドレープであって、
１００ミクロンを上回る厚さを有する、シリコーンで形成された接着剤層であって、第１の面および第２の面を有する接着剤層、
前記接着剤層の前記第１の面に形成されたプラズマ処理された、厚さ５ミクロンのプラズマ層
を含み、
前記接着剤層の前記第２の面が、少なくとも前記組織部位に接着し、かつ前記マニホールドを被覆して、前記組織部位内の前記マニホールドの上側を覆う密閉空間を生じるように構成されている、ドレープと
を含むことを特徴とする、ドレッシング。
【請求項８】
請求項７に記載のドレッシングにおいて、前記接着剤層の厚さが８０ミクロン〜６００ミクロンであることを特徴とする、ドレッシング。
【請求項９】
請求項７に記載のドレッシングにおいて、前記ドレープが、さらに、前記接着剤層内に配置されたスクリム層を含むことを特徴とする、ドレッシング。
【請求項１０】
請求項７に記載のドレッシングにおいて、前記ドレープが、さらに、前記接着剤層内に配置されたスクリム層を含み、
前記スクリム層が、前記接着剤層の前記第２の面よりも前記接着剤層の前記第１の面に近接していることを特徴とする、ドレッシング。
【請求項１１】
請求項７に記載のドレッシングにおいて、前記ドレープが、さらに、前記接着剤層内に配置されたスクリム層を含み、
前記スクリム層が、前記接着剤層の前記第２の面よりも前記プラズマ層に近接していることを特徴とする、ドレッシング。
【請求項１２】
請求項７に記載のドレッシングにおいて、前記ドレープが、さらに、前記プラズマ層にラミネートされた支持フィルムを含むことを特徴とする、ドレッシング。
【請求項１３】
ドレープの製造方法において、
ａ）第１の面と、第２の面と、１００ミクロンを上回る厚さとを有する接着剤材料のシートを提供するステップと；
ｂ）前記接着剤材料のシートの前記第１の面をプラズマ処理プロセスによって処理して、前記接着剤材料のシートの前記第１の面に厚さ５ミクロンのプラズマ層、および前記接着剤材料のシートの前記第２の面に接着剤層を形成するステップと；
ｃ）前記接着剤材料のシートの前記第２の面に隣接して剥離ライナーをラミネートするステップと
を含むことを特徴とする、方法。
【請求項１４】
請求項１３に記載の方法において、前記方法が、さらに、前記接着剤材料のシートにスクリム層を配置することを含むことを特徴とする、方法。
【請求項１５】
請求項１４に記載の方法において、前記スクリム層が、前記接着剤材料のシートの前記第１の面からある距離で前記接着剤材料のシートに配置され、それにより、前記接着剤材料のシートの前記第１の面が処理されるとき、前記スクリム層が前記接着剤層内に配置されることを特徴とする、方法。
【請求項１６】
請求項１３に記載の方法において、ステップ（ｂ）が、前記接着剤材料のシートの第１の側面をプラズマ流にさらして、前記接着剤材料のシート内のモノマーを活性化させることを含むことを特徴とする、方法。
【請求項１７】
請求項１３に記載の方法において、ステップ（ｃ）がステップ（ｂ）の前に行われることを特徴とする、方法。
【請求項１８】
請求項１３に記載の方法において、ステップ（ｂ）が、前記接着剤材料のシートの前記第１の面に粉体塗装を適用することを含むことを特徴とする、方法。
【請求項１９】
請求項１３に記載の方法において、ステップ（ｂ）が、前記接着剤材料のシートの前記第１の面に湿式塗装を適用することを含むことを特徴とする、方法。
【請求項２０】
請求項１３に記載の方法において、ステップ（ｂ）が、前記接着剤材料のシートの前記第１の面にコロナ放電をさらすことを含むことを特徴とする、方法。
【請求項２１】
請求項１３に記載の方法において、さらに、前記プラズマ層に支持フィルムをラミネートすることを含むことを特徴とする、方法。
【請求項２２】
請求項１３に記載の方法において、前記接着剤が、シリコーン接着剤であることを特徴とする、方法。
【請求項２３】
請求項１３に記載の方法において、さらに、前記接着剤が、８０ミクロン〜６００ミクロンの厚さを有するシリコーン接着剤であることを特徴とする、方法。
【発明の詳細な説明】
【技術分野】
【０００１】
本発明は、３５ＵＳＣ§１１９（ｅ）下で、Ｌｏｃｋｅらによる２０１３年１月２日出願の米国仮特許出願第６１／７４８，３９５号明細書（名称「Ｆｌｅｘｉｂｌｅ，Ａｄｈｅｒｅｎｔ，ａｎｄ  Ｎｏｎ−Ｐｏｌｙｕｒｅｔｈａｎｅ  Ｆｉｌｍ  Ｗｏｕｎｄ  Ｄｒａｐｅ  Ｃｏｖｅｒ」）の出願の利益を主張し、これを、あらゆる目的において参照により本明細書に援用する。
【０００２】
本開示は、概して、患者に接着するためのドレッシングに関し、より詳細には、限定されるものではないが、接着剤層で形成されたドレープであって、接着剤層が、接着剤層から形成された非接着剤層を有する、ドレープに関する。
【背景技術】
【０００３】
臨床試験および診療から、組織部位に近接して減圧をもたらすことによって、組織部位における新しい組織の成長を増強および加速することが示されている。この現象の適用例は多数あるが、減圧を行うことは、創傷の治療においてかなり成功している。この治療（医学界では「陰圧閉鎖療法」、「減圧療法」、または「真空療法」と呼ばれることが多い）はいくつもの利点を提供し、それら利点には、迅速な治癒および肉芽組織の形成加速化が含まれ得る。減圧療法を行う際には、一般に、創傷の近くに発泡体パッドまたは他のマニホールドが配置され、ドレープによって被覆されて密閉空間を形成し、その密閉空間に対して減圧を行う。ドレープに漏れがある場合、漏れに打ち勝って減圧の治療レベルを維持するためには、エネルギーがさらに必要とされ得る。
【発明の概要】
【０００４】
粘着防止処理された（ｄｅ−ｔａｃｋｉｆｉｅｄ）上部を有する接着剤層で形成された医療用ドレープおよびその製造プロセスを提供する実施形態により、上記の問題および他の問題は概して解決または回避され、および技術的優位性が概して達成される。
【０００５】
説明に役立つ非限定的な実施形態によれば、組織部位を治療するためのシステムが説明されている。システムは、減圧を適用するように構成された減圧源と、減圧源と流体連通し、かつ組織部位に減圧を分配するように構成されたマニホールドとを含み得る。システムはまた、ドレープを含み得る。ドレープは、約１００ミクロンを上回る厚さを有する、シリコーンで形成された接着剤層を有し得る。接着剤層は、第１の面および第２の面を有し得る。ドレープはまた、接着剤層の第１の面をプラズマ処理プロセスによって処理することにより形成された、厚さ約５ミクロンのプラズマ層を有し得る。接着剤層の第２の面は、少なくとも組織部位に接着し、かつマニホールドを被覆して、組織部位内のマニホールドの上側を覆う密閉空間を生じるように構成される。
【０００６】
別の説明に役立つ実施形態によれば、組織部位を治療するためのドレッシングが説明されている。ドレッシングは、組織部位に減圧を分配するように構成された複数の流路を有するマニホールドと、ドレープとを含む。ドレープは、シリコーンで形成されかつ厚さが約１００ミクロンを上回る接着剤層を含み得る。接着剤層は、第１の面および第２の面を有し得る。ドレープはまた、接着剤層の第１の面をプラズマ処理プロセスによって処理することにより形成された、厚さ約５ミクロンのプラズマ層を含み得る。接着剤層の第２の面は、少なくとも組織部位に接着し、かつマニホールドを被覆して、組織部位内のマニホールドの上側を覆う密閉空間を生じるように構成される。
【０００７】
さらに別の説明に役立つ実施形態によれば、医療用ドレープの製造方法は、第１の面と、第２の面と、約１００ミクロンを上回る厚さとを有する接着剤材料のシートを提供するステップを含むことができる。方法は、接着剤材料のシートの第１の面をプラズマ処理プロセスによって処理して、接着剤材料のシートの第１の面に厚さ約５ミクロンのプラズマ層、および接着剤材料のシートの第２の面に接着剤層を形成することができる。方法は、接着剤材料の第２の面に隣接して剥離ライナーをラミネートすることができる。
【０００８】
さらに別の説明に役立つ実施形態によれば、医療用ドレープの第１の側面にプラズマ層、および医療用ドレープの第２の側面に接着剤層を有する医療用ドレープであって、プラズマ層が、接着剤層の一部分から形成されている医療用ドレープが説明されている。医療用ドレープは、第１の面と、第２の面と、約１００ミクロンを上回る厚さとを有する接着剤材料のシートを提供するステップを含むプロセスによって生産され得る。このプロセスでは、接着剤材料のシートの第１の面をプラズマ処理プロセスによって処理して、接着剤材料のシートの第１の面に厚さ約５ミクロンのプラズマ層、および接着剤材料のシートの第２の面に接着剤層を形成し得る。このプロセスでは、接着剤材料の第２の面に隣接して剥離ライナーをラミネートすることができる。
【０００９】
説明に役立つ実施形態の他の態様、特徴、および利点は、下記の図面および詳細な説明を参照することにより、明らかとなる。
【００１０】
参照により本明細書に組み込まれる添付の図を参照して、説明に役立つ実施形態を下記で詳細に説明する。
【図面の簡単な説明】
【００１１】
【図１】図１は、減圧を用いて組織部位を治療するためのシステムの説明に役立つ実施形態の概略的な断面図である。
【図２】図２は、図１のドレープの説明に役立つ実施形態の分解斜視図である。
【図３】図３は、図２のドレープの断面図である。
【図４】図４は、図２のドレープの別の実施形態の断面図である。
【図５Ａ】図５Ａは、別のドレープを用いる、図１のシステムの一部分の断面の詳細な図である。
【図５Ｂ】図５Ｂは、図３のドレープを用いる、図５Ａのシステムの一部分の断面の詳細な図である。
【図６】図６は、図３のドレープの製造装置の概略図である。
【図７】図７は、図４のドレープの製造装置の概略図である。
【発明を実施するための形態】
【００１２】
減圧治療システムと一緒に使用され得る医療用ドレープに関連する、新しくかつ有用なシステム、方法、および装置が、添付の特許請求の範囲において記載される。システム、方法、および装置を作製および使用する目的、利益、および好ましい態様は、添付図面と併せて、以下の詳細な説明を参照することにより、最もよく理解され得る。説明は、当業者が、特許請求する主題を作製および使用できるようにする情報を提供するが、当技術分野で既に周知のいくつかの詳細な情報については省略し得る。さらに、文脈により明白に指定されない限り、「または」などの用語を使用する様々な代替形態の説明は、必ずしも相互排他性である必要はない。特許請求する主題はまた、具体的に詳細には説明されない代替的な実施形態、変形形態、および均等物を含んでもよい。それゆえ、以下の詳細な説明は、説明のためのものであり、限定であるとみなされるべきではない。
【００１３】
図１は、一部の実施形態に関連付けられ得る詳細を示す、組織部位１０２を治療する減圧治療システム１００の概略図である。用語「組織部位」は、これに関連して、骨組織、脂肪組織、筋組織、神経組織、皮膚組織、脈管組織、結合組織、軟骨、腱、または靭帯を含むがこれらに限定されない組織にあるまたはその内部の創傷または欠損を広く指す。創傷は、例えば、慢性の、急性の、外傷性の、亜急性の、および離開した創傷、中間層熱傷、潰瘍（例えば糖尿病潰瘍、圧迫潰瘍、または静脈不全潰瘍）、弁（ｆｌａｐ）、およびグラフトを含み得る。用語「組織部位」はまた、必ずしも傷ついても欠損してもいない組織領域であるが、その代わりに、追加的な組織の成長を支援または促進することが望ましいとし得る領域を指し得る。例えば、いくつかの組織領域において陰圧療法を使用して、追加的な組織を成長させ、それら組織を採取し、別の組織の箇所に移植してもよい。組織部位１０２は、表皮１１２を通り、真皮１１６を通り、および皮下組織１１８まで延びる創傷とし得る。組織部位１０２は、傷がない、組織部位１０２を取り囲み得る表皮１１２の一部分を含み得る。組織部位１０２の治療には、滲出液または腹水などの流体の除去を含み得る。
【００１４】
減圧治療システム１００は、ドレープ２０６、マニホールド１２２、およびコネクタ１２８を含み得る。ドレープ２０６は、プラズマ層２０８と接着剤層２１０とを有し、およびマニホールド１２２と、組織部位１０２を取り囲む表皮１１２の部分との上側を覆って配置されて、密閉治療空間１２４を形成し得る。ドレープ２０６は、ドレープ２０６を通って密閉治療空間１２４と流体連通できるようにするアパーチャを有し得る。マニホールド１２２は、組織部位１０２に近接した密閉治療空間１２４内に配置され得る。コネクタ１２８は、ドレープ２０６に結合され、かつドレープ２０６を通して密閉治療空間１２４への流体連通をもたらすように構成され得る。減圧治療システム１００は、さらに、減圧源１２６と、コネクタ１２８に流体的に結合された、チューブ１３０などの陰圧導管とを含み得る。
【００１５】
マニホールド１２２は、組織部位１０２に対して減圧を行ったり、または減圧を分配したり、かつまた組織部位１０２から流体を除去したりするために設けられ得る物体または構造である。マニホールド１２２は、複数の流路または流れ経路を含みことができ、これら複数の流路または流れ経路は、減圧の適用に応答して、組織部位１０２に提供されかつそこから除去される流体を分配し得る。説明に役立つ一実施形態では、流路または流れ経路は相互に接続されて、組織部位１０２に提供されるまたはそこから除去される流体の分配を改善する。マニホールド１２２は、組織部位１０２と接触して配置されかつ組織部位１０２に減圧を分配することができる生体適合性材料を含み得る。マニホールド１２２はまた、流路を形成するように配置された構造要素を有する１つ以上の装置とし得る。一部の説明に役立つ例では、構造要素は、気泡質の発泡体、連続気泡発泡体、多孔性組織集合体、流路を含むまたは硬化して流路を含み得る液体、ゲルおよび他の発泡体とし得る。マニホールド１２２はまた、発泡体、ガーゼ、フェルトのマット、または特定の生物学的応用に好適な他の材料などの多孔質材を含んでもよい。マニホールド１２２は、さらに、流路の機能を果たす複数の連続気泡または細孔を有し得る多孔質発泡体を含み得る。マニホールド１２２の多孔質発泡体は、ポリウレタン製の連続気泡の網状発泡体、例えばＫｉｎｅｔｉｃ  Ｃｏｎｃｅｐｔｓ，Ｉｎｃｏｒｐｏｒａｔｅｄ（Ｓａｎ  Ａｎｔｏｎｉｏ、Ｔｅｘａｓ）製のＧｒａｎｕＦｏａｍ（登録商標）材とし得る。他の説明に役立つ実施形態では、マニホールド１２２は、生体再吸収性材料または足場材料で形成され得る。場合によっては、マニホールド１２２はまた、薬剤、抗菌薬、成長因子、および様々な溶液などの流体を組織部位１０２に分配するためにも使用し得る。
【００１６】
減圧源１２６は減圧をもたらす。「減圧」は、一般的に、密閉治療空間１２４によってもたらされた密閉された治療環境の外側にある局所環境における周囲圧力などの局所的な周囲圧力を下回る圧力を指す。多くの場合、局所的な周囲圧力はまた、患者がいる場所の大気圧とし得る。あるいは、圧力は、組織部位における組織に関連する静水圧を下回り得る。他に指定のない限り、本明細書で述べる圧力の値はゲージ圧である。同様に、減圧の上昇への言及は、一般に絶対圧の低下を指す一方、減圧の低下は、一般に絶対圧の上昇を指す。
【００１７】
密閉された治療環境内などの別の構成要素または場所における圧力を低下させるために陰圧源を使用する流体力学は、数学的に複雑となり得る。しかしながら、減圧療法に適用できる流体力学の基本原理は、一般的に当業者によく知られており、および圧力を低下させるプロセスは、例えば減圧の「送達」、「分配」、または「生成」として、本明細書で説明的に記載され得る。
【００１８】
減圧源１２６は、真空ポンプ、壁面吸い込み具、マイクロポンプ、または他の減圧源などの減圧を供給するために好適な装置とし得る。説明に役立つ実施形態では、減圧源１２６は電動真空ポンプとし得る。別の説明に役立つ実施形態では、減圧源１２６は、電力を必要としない、手動によって作動されるかまたは手動で充電されるポンプとし得る。減圧はまた、例えば、ドレープ２０６に直接結合されたマイクロポンプなどの装置によって生成され得る。減圧源１２６は、他のタイプの減圧ポンプとしてもよいし、または病院および他の医療施設で利用可能なものなどの壁面吸い込みポートとしてもよい。組織部位１０２に行われる減圧の量および性質は、適用に従って変化し得るが、減圧は、−５ｍｍ  Ｈｇ（−６６７Ｐａ）〜−５００ｍｍ  Ｈｇ（−６６．７ｋＰａ）、およびより典型的には−７５ｍｍ  Ｈｇ（−９．９ｋＰａ）〜−２００ｍｍ  Ｈｇ（−２６．６６ｋＰａ）とし得る。
【００１９】
概して、減圧治療システム１００の構成要素は、直接または間接的に結合され得る。例えば、減圧源１２６は、コネクタ１２８には直接結合され、かつマニホールド１２２には、コネクタ１２８を通して間接的に結合され得る。構成要素は、互いに流体的に結合されて、構成要素間で流体（すなわち、液体および／または気体）を移送する経路を提供し得る。コネクタ１２８はまた、チューブ１３０とコネクタ１２８との間を流体結合させるためにチューブ１３０を受け入れるポートを有し得る。説明に役立つ一実施形態では、コネクタ１２８は、ＫＣＩ（Ｓａｎ  Ａｎｔｏｎｉｏ、Ｔｅｘａｓ）から入手可能なＴ．Ｒ．Ａ．Ｃ．（登録商標）ＰａｄまたはＳｅｎｓａ  Ｔ．Ｒ．Ａ．Ｃ．（登録商標）Ｐａｄとし得る。コネクタ１２８は、密閉治療空間１２４に減圧を送達できるようにし得る。他の説明に役立つ実施形態では、コネクタ１２８はまた、ドレープ２０６を通して挿入される導管とし得る。
【００２０】
本明細書では「チューブ」は、チューブ、パイプ、ホース、導管、または２つの端部間で流体を運ぶように適合された、１つ以上のルーメンを備える他の構造体を広く指す。一般に、チューブは、ある程度可撓性のある、細長いシリンダー状の構造体であるが、幾何学的形状および剛性は様々とし得る。それに加えてまたはその代わりに、一部の実施形態では、構成要素は、単一の構造に一体化されているかまたは同じ材料部片から形成される物理的近接によって、結合され得る。結合はまた、いくつかの状況において、機械的、空気圧的、熱的、電気的、または化学的な結合（ケミカルボンドなど）を含み得る。例えば、チューブ１３０は、主ルーメンおよび副ルーメンを有するマルチルーメン導管とし得る。説明に役立つ実施形態では、チューブ１３０は、主ルーメンを通して減圧を供給し、および副ルーメンを通して圧力を感知し得る。チューブ１３０は、様々な形状を有し、かつ複数の主および副ルーメンを含んでもよい。チューブ１３０は、コネクタ１２８を通して密閉治療空間１２４と流体的に連通し、密閉治療空間１２４に減圧を供給し、かつ組織部位１０２における圧力を感知し得る。減圧源１２６によって生じた減圧は、チューブ１３０を通してコネクタ１２８まで送達され得る。
【００２１】
概して、滲出液および他の流体は、流体流路に沿って、より低い圧力の方へ流れ、この現象は、「吸込み」または「吸引」と呼ばれることが多い。この定位は、一般的に、本明細書の減圧治療システムの様々な特徴および構成要素を説明するために想定される。それゆえ、用語「下流」は、一般に、流体流路において、陰圧源の比較的近くにあるものを意味し、逆に、用語「上流」は、陰圧源から比較的離れているものを意味する。同様に、そのような基準系における流体の「入口」または「出口」に関して、いくつかの特徴を説明するのに好都合とし得る。しかしながら、流体流路はまた、一部の適用例では逆にされてもよく（陽圧源を陰圧源の代わりにすることによってなど）、この説明の慣例は、限定的な慣例であるとみなされるべきではない。
【００２２】
概して、減圧療法は、全ての重症度の創傷に有益とし得る。しばしば、減圧療法の有効性は、ドレープ２０６と表皮１１２との間を密封している間にドレープ２０６が組織部位１０２に適合できないことに起因して、制限され得る。医療用ドレープを形成するために、ポリウレタンフィルムが使用されることが多い。これは、ポリウレタンが、通気性であり、可撓性であり、堅固であり、印刷または着色され、および様々な範囲の厚みで提供されることができるためである。ポリウレタンフィルム層はまた、ほとんどの接着剤にしっかりと結合する。伝統的に、ポリウレタンフィルム層を使用して組織部位を被覆し、およびポリウレタンフィルム層を組織部位に固定するために接着剤を使用する。医療用ドレープの適用例にポリウレタンフィルムを使用することにおける課題は、適合性、接着性、密封性、通気性、堅固さ、およびコストのバランスを取ることである。現在のところ、ほとんどの医療用ドレープは、厚さが少なくとも約１５ミクロン〜約５０ミクロン、一般に、約２５ミクロン〜約４５ミクロンの範囲のフィルム層を有する。ポリウレタンフィルム層と接着剤とを有するドレープの製造プロセスは、よく理解されており、再現できる。
【００２３】
医療用ドレープは、組織部位を囲んで保護し、密閉治療空間内に湿潤環境を維持し、感染性病原体（ｉｎｆｅｃｔｉｏｕｓ  ａｇｅｎｔ）に対するバリアとしての役目を果たし、および特に減圧療法が用いられ得る箇所にシールを提供するように機能する。漏れの少ないまたは漏れのない減圧療法を使用するとき、組織部位を密封し、かつ密閉治療空間内の減圧を所望のレベルに維持する医療用ドレープの能力は、より重要になる。医療用ドレープの密封性を改善するために、より厚い接着剤が必要とされ得る。医療用ドレープは、一般に、ポリウレタンフィルム層および接着剤層から形成され得る。アクリルベースとし得る接着剤は、約１５ｇ／ｍ２（ｇｓｍ）〜最大約６５ｇｓｍのポリウレタンフィルムのコーティング被覆率を有し得る。約１５ｇｓｍ〜約６５ｇｓｍのコーティング被覆率は、医学的応用に関する約１５ミクロン〜６５ミクロンの範囲の接着剤層の厚さと同等とみなす。厚さが約６５ミクロンに近い接着剤である、厚い接着剤、および標準的な厚さが２５ミクロン以上のポリウレタンフィルム層は、漏れの少ないまたは漏れのない減圧の適用例に有用とし得る。厚い接着剤を用いて形成された医療用ドレープは、通常コーティングの接着剤の標準医療用ドレープよりも、５０％厚くし得る。
【００２４】
しかしながら、厚い接着剤層を有する医療用ドレープは、サイズが大きくなり、かつ構造の複雑性が増し、それにより、製造コストが増し得る。厚い接着剤を有する医療用ドレープはまた、適合性および通気性に悪影響を及ぼし得る。これらの問題を克服するために、医療用ドレープは、より薄いポリウレタンフィルム層を有し得る。例えば、約１０ミクロン以下のポリウレタンフィルム層が使用され得る。しかしながら、約１０ミクロン以下の厚さのポリウレタンフィルムは、製造中に、伸張したり、折り目またはしわを作ったり、および裂けたりしやすい。折り目またはしわは、漏れの問題を生じ得る。例えば、図５Ａは、薄いポリウレタンフィルム層と標準よりも厚い接着剤層とを有する医療用ドレープの追加的な詳細を示す、ドレープ１０６の断面図である。ドレープ１０６は、厚さが約１０ミクロンのポリウレタンフィルム層１０８から形成され、かつ標準よりも厚い接着剤１１０が示されている。ドレープ１０６がマニホールド１１２の上を覆って組織部位１０２に位置決めされると、折り目１４４が形成される。折り目１４４は、ポリウレタンフィルムが薄いことに起因して取り扱いの困難さが増したことによって形成され、かつ間隙１４５を生じ得る。接着剤層２１０は、通気性および適合性を損なわずに間隙１４５を満たすのに十分な厚さではない可能性がある。
【００２５】
さらに、折り目およびしわに対して、薄いポリウレタンフィルムはまた、製造プロセスの最中、特に、ポリウレタンフィルムに接着剤を適用する最中に、伸張したり裂けたりし得る。このプロセスの最中に、ポリウレタンフィルムの良好な張力制御が必要とされ、およびこれは、達成することが難しいことが多い。さらに、薄いポリウレタンフィルムは、環境条件、例えば、温度および湿度の影響をより受けやすく、これは、製造プロセスの難しさを増し得る。医療用ドレープの製造中の接着剤の温度、および接着剤の化学的構成などの他の環境プロセスは、医療用ドレープを製造するための接着剤の適用の最中のポリウレタンフィルムを取り扱う能力に、大きな影響を与え得る。
【００２６】
約１５ミクロン未満の薄いポリウレタンフィルムを使用しようとする努力も、そのようなフィルム層、特に厚さが約５ミクロンのフィルムはピンホール形成欠陥の危険性の影響を受けやすいため、問題を解決していない。ピンホール形成は、可撓性フィルムにおける微小開口部または裂けの形成であり、これは、フィルム層、それゆえ医療用ドレープを機能しなくさせ得る。さらに、薄いポリウレタンフィルムは、医療用ドレープの適用をより困難にし得るため、ポリウレタンフィルムの厚さは、医療用ドレープの取り扱いを支援するように維持される必要がある。アクリル接着剤などの一部の接着剤は、接着剤層の厚さが増すにつれて医療用ドレープの透湿度（ＭＶＴＲ）を著しく低下させることも公知である。これらの問題ゆえに、厚さ５ミクロンのポリウレタンフィルム層は、医療用ドレープの適用には、特に減圧療法の漏れの少ないまたは漏れのない適用例には、利用可能ではなかった。そのような薄いフィルム層のポリウレタンを利用できないため、接着剤層は、約１５ミクロン〜約６５ミクロンと比較的薄いままであり、容認できるＭＶＴＲを維持している。
【００２７】
本明細書で開示するように、減圧治療システム１００は、プラズマ処理された表面を備えてプラズマ層２０８を形成する接着剤２１０を有するドレープ２０６を提供することによって、これらおよび他の課題を克服する。さらに、ドレープ２０６は、通気性、適合性またはコストに影響を及ぼさない、厚い接着剤２１０を提供し得る。
【００２８】
図２は、一部の実施形態に関連付けられ得る追加的な詳細を示す、ドレープ２０６の分解斜視図である。図２に示すように、ドレープ２０６は、厚さ約６００ミクロンの接着剤２１０と、厚さ約５ミクロンのプラズマ層２０８とを有し得る。プラズマ層２０８は、接着剤２１０の一部分から形成された非接着剤層とし得る。プラズマ層２０８は、第１の側面２３２を有し、かつ接着剤２１０は第１の側面２３６を有し得る。
【００２９】
図３は、一部の実施形態に関連付けられ得る追加的な詳細を示す、ドレープ２０６の断面図である。図示の通り、プラズマ層は第２の側面２３４を有し、および接着剤２１０は第２の側面２３８を有し得る。説明に役立つ実施形態では、プラズマ層２０８の第２の側面２３４と接着剤２１０の第１の側面２３６は、プラズマ層２０８と接着剤２１０との間の境界層を形成し得る。図示の通り、プラズマ層２０８の第２の側面２３４と接着剤２１０の第１の側面２３６との間の境界層は、プラズマ層２０８の第１の側面２３２から距離「ｄ」にあるとし得る。実施形態では、距離「ｄ」は、厚さが約５ミクロンまで、すなわち約５ミクロン未満とし得る。プラズマ層２０８は、接着剤２１０の接着剤内のモノマー、例えば炭化フッ素、またはシリコーンを活性化するためにプラズマプロセスによって処理された接着剤２１０の一部分とし得る。プラズマプロセスは、モノマーとシリコーンゲルとの間に化学反応を生じさせて、厚さ５ミクロンまでの薄くて丈夫な非粘着性フィルムを生じ得る。下記で説明するプラズマ処理プロセスと一緒にウレタンモノマーおよびアクリルモノマーなどの他のモノマー系を使用して、プラズマ層２０８を生じ得る。
【００３０】
接着剤２１０は、医療的に容認できる感圧接着剤とし得る。接着剤２１０は、シリコーンポリマー、ポリウレタン、ポリオレフィン、または追加的なアクリル接着剤とし得る。接着剤２１０はまた、ゲルまたは親水コロイドベースの接着剤とし得る。一部の実施形態では、接着剤２１０の結合強さは、ＡＳＴＭ  Ｄ３３３０に基づいて、２３℃、相対湿度５０％において、ステンレス鋼基材での約０．５Ｎ／２５ｍｍ〜約１．５Ｎ／２５ｍｍのステンレス鋼材料からの引きはがし粘着力または耐剥離性を有し得る。接着剤２１０は、接着剤２１０が約６０秒未満の接触時間後に上述の結合強さを有し得るような粘着性を有し得る。説明に役立つ非限定的な例では、接着剤２１０は、約８０グラム／ｍ２（ｇｓｍ）〜約４００ｇｓｍの塗布量のシリコーン接着剤を含む。接着剤２１０は、厚さ約６００ミクロン／ｇｓｍまでとし得る。
【００３１】
接着剤２１０はまた、第１の側面２３６に近接して配置されたスクリム層２１１を有し得る。スクリム層２１１は第１の側面２３６から分離され得るため、スクリム層２１１は、プラズマ層２０８の第２の側面２３４と接着剤２１０の第１の側面２３６との境界層の下側で接着剤２１０に埋め込まれる。下記でより詳細に説明するように、プラズマ層２０８を形成するプラズマ処理プロセスは、スクリム層２１１と相互作用しない。スクリム層２１１は、接着剤に埋め込まれた、接着剤の強度が弱いとし得る箇所に追加の支持を提供する補強層としてもよく、およびプラズマ層２０８は、ドレープ２０６の不慮の破壊を制限するような十分な強度を提供しない。スクリム層２１１は、ポリウレタンなどの不織ポリマーから形成されてもよく、および密度が約１０ｇｓｍまでと、薄くかつ軽量とし得る。スクリム層２１１は、医療用ドレープに利用可能な最も薄いポリウレタンフィルムよりも可撓性とし得る。現在のところ、入手可能な最も薄いポリウレタンフィルムは、厚さが約１５ミクロンとし得る。スクリム層２１１は、アルギン酸などの親水性材料または超吸収材料から形成されて、通気性の劣るポリマー接着剤、例えばシリコーンが、穿孔の必要なく、水分を管理できるようにし得る。
【００３２】
ドレープ２０６は、ドレープ２０６の製造、配送、および保管の最中、接着剤２１０の第２の側面２３８に配置された剥離ライナー２４０を含み得る。剥離ライナー２４０は、ドレープ２０６を使用する前に除去され得る。剥離ライナー２４０は、ポリマーまたは紙ベースのウェブとし得る。剥離ライナー２４０は、ドレープ２０６を組織部位１０２に適用する前、接着剤２１０の第２の側面２３８を被覆している。剥離ライナー２４０は、接着剤２１０と表皮１１２が接触する前の、接着剤２１０の接着性を保つ。剥離ライナー２４０はまた、ドレープ２０６を組織部位１０２に適用する前に、流体が接着剤２１０と接触しないようにする。剥離ライナー２４０は、気体または液不透過性材料から形成されて、接着剤２１０が、組織部位１０２に適用される前に、汚染されたり、またはゼラチン状体または液体状態に変質されたりしないようにし得る。剥離ライナー２４０はまた、タブを有して、接着剤２１０からの剥離ライナー２４０の除去を支援し得る。
【００３３】
ドレープ２０６は、例えば、ドレープ２０６と組織部位１０２との間の空間を通る流体の漏れを実質的に防止する一方、蒸気はドレープ２０６を通って出ることができるようにし得る。ドレープ２０６は、接着剤２１０が表皮１１２に接触する箇所の好適なＭＶＴＲを維持して、組織部位１０２に減圧療法を行うときの組織部位１０２の治癒を支援する。ドレープ２０６はまた、表皮１１２から好適に剥離できる材料から形成され、組織部位１０２からドレープ２０６を除去することに起因する患者へのいずれの痛みも最小限にし得るかまたは低減させ得る。ドレープ２０６は剥離可能とし得るが、ドレープ２０６は、接着剤２１０の結合特性に応じて組織部位１０２への適度に強力な機械的接続を維持し得る。
【００３４】
図４は、一部の実施形態に関連付けられ得る別のドレープ３０６の詳細を示す、概略的な側面図である。ドレープ３０６は、ドレープ２０６と同様であり得、かつドレープ２０６の代わりに、図１の減圧治療システム１００と一緒に使用され得る。ドレープ３０６は、図３のドレープ２０６と多くの点で類似してもよく、および類似の構成要素は、参照符号を１００だけ大きくして示している。ドレープ３０６は、プラズマ層３０８および接着剤３１０を含む。プラズマ層３０８は、接着剤３１０の一部分から形成される非接着剤層とし得る。プラズマ層３０８は、第１の側面３３２および第２の側面３３４を含む。接着剤３１０は、第１の側面３３６および第２の側面３３８を含む。図示の実施形態では、プラズマ層３０８の第２の側面３３４と接着剤３１０の第１の側面３３６は、プラズマ層３０８と接着剤３１０との間に境界層を形成し得る。図示の通り、プラズマ層３０８の第２の側面３３４と接着剤３１０の第１の側面３３６との間の境界層は、プラズマ層３０８の第１の側面３３２から距離「ｄ」にあるとし得る。実施形態では、距離「ｄ」は、厚さ約５ミクロンまで、すなわち約５ミクロン未満である。プラズマ層３０８は、接着剤３１０内のモノマー、例えば炭化フッ素、またはシリコーンを活性化するためにプラズマプロセスにおいて処理された接着剤３１０の一部分である。プラズマプロセスは、モノマーとシリコーンゲルとの間に化学反応を生じさせて、厚さ５ミクロンまでの薄くて丈夫な非粘着性フィルムを生じる。他のモノマー系、例えばウレタンモノマーおよびアクリルモノマーは、下記で説明するプラズマ処理プロセスと一緒に使用され、プラズマ層３０８を生じ得る。
【００３５】
接着剤３１０は、医療的に容認できる感圧接着剤とし得る。接着剤３１０は、シリコーンポリマー、ポリウレタン、ポリオレフィン、または追加的なアクリル接着剤とし得る。一部の実施形態では、接着剤３１０の結合強さは、ＡＳＴＭ  Ｄ３３２０に基づいて、３３℃、５０％の相対湿度で、ステンレス鋼基材で約０．５Ｎ／２５ｍｍ〜約１．５Ｎ／２５ｍｍのステンレス鋼材料からの引きはがし粘着力または耐剥離性を有し得る。接着剤３１０は粘着性を有し、接着剤３１０は、６０秒未満の接触時間の後に上述の結合強さを達成し得る。説明に役立つ非限定的な例では、接着剤３１０は、塗布量８０ｇｓｍ〜４００ｇｓｍでシリコーン接着剤を含む。接着剤３１０は、厚さ約６００ミクロン／ｇｓｍまでとし得る。
【００３６】
ドレープ３０６は、ドレープ３０６の製造、配送、および保管の最中、第２の側面３３８に配置された剥離ライナー３４０を含み得る。剥離ライナー３４０は、ドレープ３０６の使用前に除去され得る。剥離ライナー３４０は、ドレープ３０６を組織部位１０３に適用する前に、接着剤３１０の第２の側面３３８を被覆する。剥離ライナー３４０は、接着剤３１０と表皮１１３とが接触する前の接着剤３１０の接着性を保つ。剥離ライナー３４０はまた、ドレープ３０６を組織部位１０２に適用する前に、流体が接着剤３１０に接触しないようにする。剥離ライナー３４０は、気体または液不透過性材料から形成されて、接着剤３１０が、組織部位１０２に適用される前に、汚染されたり、またはゼラチン状体または液体状態に変質されたりしないようにし得る。剥離ライナー３４０はまた、タブを有して、接着剤３１０からの剥離ライナー３４０の除去を支援し得る。
【００３７】
ドレープ３０６はまた、プラズマ層３０８の第１の側面３３２に配置された支持層３４２を含み得る。支持層３４２は、下記で説明するプラズマ処理プロセスに続いてプラズマ層３０８にラミネートされたフィルム層とし得る。支持層３４２は、ドレープ３０６の配送および保管の最中の不慮の破壊を制限するように、追加的な支持をもたらし得る。図４に関して上述したようにドレープ３０６を配置した後、支持層３４２は、ドレープ３０６から除去され得る。支持層３４２はまた、タブを有して、接着剤３１０から支持層３４２を除去するのを支援し得る。
【００３８】
ドレープ２０６およびドレープ３０６は、他の医療用ドレープのようにフィルム部分を有しないため、ドレープ２０６およびドレープ３０６には、ピンホールが形成されない。さらに、ドレープ２０６およびドレープ３０６は、高可撓性であり、かつより容易に組織部位１０２に適合し得る。さらに、ドレープ２０６およびドレープ３０６の全体の通気性は、ドレープ２０６およびドレープ３０６の全厚が標準的な医療用ドレープよりも薄いために、他の医療用ドレープよりも増大し、ＭＶＴＲを高め得る。下記で詳細に説明するように、ドレープ２０６およびドレープ３０６は、安価に生産され、およびそれらの構成のために使用する材料が少数であるため、あまり廃棄物を生じないとし得る。
【００３９】
図５Ａは、約２５ミクロン〜約４５ミクロンのフィルム層１０８と接着剤１１０とを有する共通のドレープ１０６を使用する、図１の減圧治療システム１００の一部分の概略的な断面図である。ドレープ１０６を組織部位１０２に適用するとき、ドレープ１０６は、ドレープ１０６を組織部位１０２に適合させるために伸張され、および組織部位１０２を取り囲む傷のない表皮１１２をドレープ１０６が確実に密封するようにし得る。適用の最中に、ドレープ１０６を伸張させる力が解放されると、ドレープ１０６は収縮し、ドレープ１０６が表皮１１２に結合される箇所にしわや折り目１４４を形成し得る。折り目１４４は、フィルム層１０８および接着剤１１０の双方を、表皮１１２から離れるように引っ張り、および接着剤１１０は、フィルム層１０８の厚さに起因して、十分に強力ではないか、またはドレープ１０６と表皮１１２との間の間隙１４４を閉鎖するのに十分な厚さではない。それゆえ、折り目１４４は漏れを生じ、減圧治療システム１００の効率を低下させ得る。
【００４０】
図５Ｂは、ドレープ２０６の追加的な詳細を示す、図１の減圧治療システム１００の一部分の概略的な断面図である。接着剤２１０は、ドレープ２０６を表皮１１２に結合させ得る。ドレープ２０６を表皮１１２に適用させる最中、ドレープ２０６は、折り目またはしわ２４４を形成し得る。折り目２４４は、ドレープ２０６の一部分を表皮１１２から引き離すようにし得る。これはまた、接着剤２１０の一部分が、上述のように表皮１１２から引き離されるようにし得る。しかしながら、ドレープ２０６は、約５ミクロン〜約１５ミクロンのプラズマ層２０８と、約８０ミクロン〜約６００ミクロンの接着剤２１０とを含むため、接着剤２１０は、破線で示すような間隙２４５を形成するように表皮１１２から引き離されない。むしろ、接着剤２１０が、折り目２４４の下側のボイド全体を満たして漏れを防止する。接着剤２１０は、プラズマ層２０８と表皮１１２との間の間隙２４５を満たし、それにより、減圧治療システム１００の適切な動作を妨げ得る漏れの形成を制限する。さらに、折り目２４４の高さは、ドレープ２０６では、ドレープ１０６よりも低いとし得る。それゆえ、ドレープ２０６は、ドレープ２０６と表皮１１２との間の空間を通る流体の漏れを実質的に防止する一方、高ＭＶＴＲおよび向上した適合性を維持し得る。
【００４１】
図６は、図３のドレープ２０６の製造に関連付けられる追加的な詳細を示す、押出装置７００の概略図である。押出装置７００は、コンベヤセンブリ７０１、および押出アセンブリ７０７を含む。スクリム層２１１は、コンベヤセンブリ７０１上に提供され得る。コンベヤセンブリ７０１は１つ以上のローラ７０３を含み、それらローラの上にスクリム層２１１が配置され得る。一般的に、ローラ７０３は、スクリム層２１１を支持し、かつモータ駆動され得るかまたは他の方法で動力駆動され得るため、スクリム層２１１は、コンベヤセンブリ７０１を進み得る。コンベヤセンブリ７０１は、押出装置７００を通してドレープ２０６を輸送するように構成された他の搬送装置、例えばコンベヤベルト、グラビティコンベヤ、バケツコンベヤ、ローラコンベヤ、チェーンコンベヤ、振動コンベヤなどを含み得る。コンベヤセンブリ７０１は、１つ以上の搬送システムとしても、または図６に概略的に示すような単一のコンベヤシステムとしてもよい。説明に役立つ実施形態では、スクリム層２１１は、コンベヤセンブリ７０１の動作中、コンベヤセンブリ７０１と連続的にみえるシート状で、コンベヤセンブリ７０１に提供され得る。例えば、スクリム層２１１は、コンベヤセンブリ７０１上に配置され得るロール７１３で提供され、かつコンベヤセンブリ７０１によって広げられ得る。例えば、コンベヤセンブリ７０１は、スクリム層２１１の第１の端部を押出装置７００で進めて、ロール７１３を広げ得る。スクリム層２１１はコンベヤセンブリ７０１に配置され得るため、スクリム層２１１は、コンベヤセンブリ７０１のベルト７０５に近接し得る。説明に役立つ実施形態では、スクリム層２１１は、ベルト７０５から予め決められた距離、分離され得るため、スクリム層２１１は、ベルト７０５に接触しない可能性がある。例えば、スクリム層２１１は、コンベヤセンブリ７０１に提供され得るため、スクリム層２１１は、ベルト７０５から、約６００ミクロンの距離、分離され得る。他の実施形態では、スクリム層２１１は、コンベヤセンブリ７０１に提供され得るため、スクリム層２１１は、ベルト７０５から、約５００ミクロン〜約６００ミクロンの距離、分離され得る。
【００４２】
コンベヤセンブリ７０１は、スクリム層２１１を押出アセンブリ７０７を通して運び得る。押出アセンブリ７０７は、１つ以上の接着剤押出機、例えば接着剤押出機７０９と、接着剤供給装置７１１と、制御システム７１５と、プラズマジェットアセンブリ７１７とを含み得る。接着剤押出機７０９はスロットダイとしてもよく、接着剤を接着剤押出機７０９に供給するための接着剤供給装置７１１に流体的に結合される。制御システム７１５は、接着剤押出機７０９および接着剤供給装置７１１に通信可能に結合されて、本明細書で開示するように押出アセンブリ７０７を動作させる。制御システム７１５はまた、本明細書で開示するようなプラズマジェットアセンブリ７１７の動作のために、プラズマジェットアセンブリ７１７に通信可能に結合される。
【００４３】
制御システム７１５は、上記の装置から入力を受信しかつそれらの同じ装置とそれらの動作のために通信するように構成されたプログラマブルロジックコントローラ、データ処理システムなどを含み得る。プログラムコードを記憶および／または実行するのに好適なデータ処理システムが、メモリエレメントに直接、またはシステムバスを通して間接的に結合された少なくとも１つのプロセッサを含み得る。メモリエレメントは、プログラムコードの実行の最中に用いられるローカルメモリと、大容量記憶装置と、実行中に大容量記憶装置からコードが検索され得る回数を削減するために、少なくとも一部のプログラムコードの一時記憶を提供するキャッシュメモリとを含み得る。接着剤押出機７０９は、本明細書で開示するように、それぞれのモータ付きコントローラに結合され、かつ初期位置に関する動きに対し動作可能とし得る。モータ付きコントローラは、制御システム７１５から動作信号または指示を受信するように構成された好適な装置とし得る。
【００４４】
制御システム７１５は、制御システム７１５に信号を通信するように構成された空気圧センサー、温度センサーなどの好適な装置とし得る慎重な入力／出力装置を含み得る。入力／出力またはＩ／Ｏ装置（限定されるものではないが、キーボード、ディスプレイ、ポインティングディバイスなどを含む）は、直接、または介在するＩ／Ｏコントローラを通してのいずれかで、システムに結合され得る。モデムまたはイーサネットカードなどのネットワークアダプタも、制御システム７１５に結合されて、制御システム７１５が、介在するプライベートネットワークまたはパブリックネットワークを通して他のデータ処理システムまたはリモートのプリンタもしくは記憶装置に結合され得るようにする。
【００４５】
接着剤押出機７０９は、コンベヤセンブリ７０１のベルト７０５に近接して配置される。接着剤押出機７０９は、バルブと、接着剤を接着剤材料のシート７０６としてベルト７０５上に押し出すように構成されたダイとを含み得る。接着剤押出機７０９は、接着剤材料のシート７０６をベルト７０５上に堆積させるため、接着剤材料のシート７０６の厚さは、ベルト７０５とスクリム層２１１との間の距離よりも大きいとし得る。説明に役立つ実施形態では、スクリム層２１１は、ベルト７０５に対向する接着剤材料のシート７０６の表面から、約５ミクロン〜約１０ミクロンの距離、分離している。別の説明に役立つ実施形態では、接着剤材料のシート７０６は、約６００ミクロンの厚さでベルト７０５上に堆積され得る。
【００４６】
一部の実施形態では、接着剤材料のシート７０６は、ベルト７０５上への接着剤材料のシート７０６の押出に続いて、熱または紫外線光にさらされる。接着剤材料のシート７０６を加熱する、または接着剤材料のシート７０６を紫外線光へさらすことによって、接着剤材料のシート７０６を架橋させる。架橋によって、接着剤材料のシート７０６がゲル接着剤を形成するようになる。説明に役立つプロセスでは、ゲル接着剤はシリコーンゲル接着剤である。架橋は、接着剤材料のシート７０６を構成するポリマー鎖間の化学的架橋を作る。架橋は、接着剤材料のシート７０６の接着性を低下させ得る。
【００４７】
接着剤材料のシート７０６およびスクリム層２１１は、プラズマジェットアセンブリ７１７を通り越して運ばれ得る。プラズマジェットアセンブリ７１７は、接着剤材料のシート７０６の表面にプラズマ処理プロセスを実施するように構成された装置とし得る。図示のプラズマ処理プロセスでは、プラズマジェットアセンブリ７１７は、ガスを受け、そのガスを、陰極および陽極を含むノズル間に通す。陰極と陽極との間のアークが、ガスをイオン化し、かつガスを解離させ、プラズマ流７１９を形成するようにする。スクリム層２１１が配置されている接着剤材料のシート７０６は、図６に示すように、プラズマ流７１９を通過する。プラズマ流７１９は、接着剤材料のシート７０６の表面を加熱し、接着剤内のモノマー、例えば炭化フッ素、またはシリコーンを活性化させる。モノマーの活性化によって化学反応を生じさせ、接着剤材料のシート７０６が、プラズマ層２０８、厚さ約５ミクロンまでの薄くて丈夫な非粘着性フィルムを形成するようにする。より厚いプラズマ層が望まれる場合、プラズマ層２０８の厚さを増すために追加的なプラズマ処理プロセスを実施し得る。
【００４８】
接着剤材料のシート７０６からプラズマ層２０８を形成する他のプロセスを使用してもよい。例えば、粉体塗装プロセス、湿式塗装プロセス、およびコロナ放電プロセスを使用して、プラズマ層２０８を形成し得る。酸化表面または高度に架橋された表面が望まれる箇所にはコロナ放電プロセスを使用し得る。他のプロセスは、タルク、ポリマー、ワックス、または粉体のエマルジョン、分散体、または溶液を使用し得る。プラズマ処理プロセスに続いて、接着剤材料のシート７０６は、プラズマ層２０８および接着剤２１０を含む。その後、剥離ライナー２４０が、接着剤２１０の第２の側面２３８に剥離可能に結合され得る。プラズマ処理プロセスは、本明細書で説明するように一直線に実施されても、または別の搬送アセンブリを用いて別個のプロセスで実施されてもよい。
【００４９】
図７は、ドレープ３０６を製造するための押出装置８００の概略図である。押出装置８００は、コンベヤセンブリ８０１および押出アセンブリ８０７を含む。剥離ライナー３４０は、コンベヤセンブリ８０１上に提供され得る。コンベヤセンブリ８０１は１つ以上のローラ８０３を含み、その上に剥離ライナー３４０が配置され得る。一般的に、ローラ８０３は、剥離ライナー３４０を支持し、かつモータ駆動されていても、または他の方法で動力駆動されてもよいため、剥離ライナー３４０は、コンベヤセンブリ８０１上で平行移動し得る。コンベヤセンブリ８０１は、押出装置８００を通してドレープ３０６を輸送するように構成された他の搬送装置、例えばコンベヤベルト、グラビティコンベヤ、バケツコンベヤ、ローラコンベヤ、チェーンコンベヤ、振動コンベヤなどを含み得る。コンベヤセンブリ８０１は、１つ以上の搬送システムとしても、または図７に概略的に示すような単一のコンベヤシステムとしてもよい。説明に役立つ実施形態では、剥離ライナー３４０は、コンベヤセンブリ８０１の動作中、コンベヤセンブリ８０１と連続的にみえるシート状で、コンベヤセンブリ８０１に提供され得る。例えば、剥離ライナー３４０は、コンベヤセンブリ８０１上に配置され得るロール８１３で提供され、かつコンベヤセンブリ８０１が剥離ライナー３４０の第１の端部を押出装置８００で進めるときに、コンベヤセンブリ８０１によって広げられ得る。
【００５０】
コンベヤセンブリ８０１は、押出アセンブリ８０７を通して剥離ライナー３４０を運ぶ。押出アセンブリ８０７は、１つ以上の接着剤押出機、例えば接着剤押出機８０９と、接着剤供給装置８１１と、制御システム８１５と、プラズマジェットアセンブリ８１７とを含み得る。接着剤押出機８０９はスロットダイとしてもよく、接着剤を接着剤押出機８０９に供給するための接着剤供給装置８１１に流体的に結合される。制御システム８１５は、接着剤押出機８０９および接着剤供給装置８１１と通信可能に結合され、本明細書で開示するように押出アセンブリ８０７を動作させ得る。制御システム８１５はまた、本明細書で説明するようなプラズマジェットアセンブリ８１７の動作のために、プラズマジェットアセンブリ８１７と通信可能に結合され得る。
【００５１】
制御システム８１５は、上述の装置からの入力を受信しかつそれらの同じ装置とその動作のために通信するように構成されたプログラマブルロジックコントローラ、データ処理システムなどを含み得る。プログラムコードの記憶および／または実行に好適なデータ処理システムが、メモリエレメントに直接、またはシステムバスを通して間接的に結合された少なくとも１つのプロセッサを含み得る。メモリエレメントは、プログラムコードの実行中に用いられるローカルメモリと、大容量記憶装置と、実行中に大容量記憶装置からコードが検索され得る回数を削減するために、少なくとも一部のプログラムコードの一時記憶を提供するキャッシュメモリとを含み得る。一部の実施形態では、接着剤押出機８０９は、本明細書で開示するように、それぞれのモータ付きコントローラに結合され、かつ初期位置に関する動きに対し動作可能とし得る。モータ付きコントローラは、制御システム８１５から動作信号または指示を受信するように構成された好適な装置とし得る。
【００５２】
制御システム８１５は、制御システム８１５に信号を通信するように構成された空気圧センサー、温度センサーなどの好適な装置とし得る慎重な入力／出力装置を含み得る。入力／出力またはＩ／Ｏ装置（限定されるものではないが、キーボード、ディスプレイ、ポインティングディバイスなどを含む）は、直接、または介在するＩ／Ｏコントローラを通してのいずれかで、システムに結合され得る。モデムまたはイーサネットカードなどのネットワークアダプタも、制御システム８１５に結合されて、制御システム８１５が、介在するプライベートネットワークまたはパブリックネットワークを通して他のデータ処理システムまたはリモートのプリンタもしくは記憶装置に結合され得るようにする。
【００５３】
接着剤押出機８０９は、コンベヤセンブリ８０１上で剥離ライナー３４０に近接して配置される。接着剤押出機８０９は、バルブと、接着剤を接着剤材料のシート８０６として剥離ライナー３４０上に押し出すように構成されたダイとを含み得る。接着剤押出機８０９は、接着剤材料のシート８０６を、剥離ライン３４０の上に堆積させるため、接着剤材料のシート８０６の厚さは、約６００ミクロンとし得る。
【００５４】
実施形態では、接着剤材料のシート８０６は、剥離ライナー３４０上への接着剤材料のシート８０６の押出後に、熱または紫外線光にさらされる。接着剤材料のシート８０６を加熱する、または接着剤材料のシート８０６を紫外線光にさらすことにより、接着剤材料のシート８０６を架橋させる。架橋によって、接着剤材料のシート８０６がゲル接着剤を形成するようになる。説明に役立つ実施形態では、ゲル接着剤はシリコーンゲル接着剤とし得る。架橋は、接着剤材料のシート８０６を構成するポリマー鎖間の化学的架橋を作り、接着剤材料のシート８０６の接着性を低下させ得る。
【００５５】
接着剤材料のシート８０６および剥離ライナー３４０は、プラズマジェットアセンブリ８１７を通り越して運ばれ得る。プラズマジェットアセンブリ８１７は、接着剤材料のシート８０６の表面上にプラズマ処理プロセスを実施するように構成された装置とし得る。図示のプラズマ処理プロセスでは、プラズマジェットアセンブリ８１７は、ガスを受け、そのガスを、陰極および陽極を含むノズル間に通す。陰極と陽極との間のアークによってガスをイオン化させ、およびガスを解離させ、かつプラズマ流８１９を形成するようにする。接着剤材料のシート８０６および剥離ライナー３４０は、図７に示すようにプラズマ流８１９を通過し得る。プラズマ流８１９は、接着剤材料のシート８０６の表面を加熱し、接着剤内のモノマー、例えば炭化フッ素、またはシリコーンを活性化させ得る。モノマーの活性化によって化学反応を生じさせ、接着剤材料のシート８０６が、プラズマ層３０８、厚さ約５ミクロンまでの薄くて丈夫な非粘着性フィルムを形成するようにする。より厚いプラズマ層が望まれる場合、プラズマ層３０８の厚さを増すために追加的なプラズマ処理プロセスを実施してもよい。
【００５６】
ドレープ２０６およびドレープ３０６の特定の実施形態に関して上述した製造装置を使用して、図２〜４の実施形態、ならびにそれらの変形形態を製造し得る。さらに、特に接着剤がゲルまたは親水コロイドベースの接着剤であるとき、厚みのある転写接着剤または接着剤被覆フィルムを生成するために用いられる他の製造方法を使用して、本明細書で説明したドレープを構成し得る。一部の実施形態では、接着剤のレオロジーを、製造プロセス、および硬化または乾燥の最中の流れの量を削減して望まない領域への接着剤の移動を防止するように、好適な方法で修正し得る。
【００５７】
他の実施形態では、接着剤は、例えば有機および無機の低温沸点の液体の発泡剤または膨張剤と混合し得る。発泡剤または膨張剤は、熱または光の適用下で接着剤が膨張し、上述のプロセスのうちの１つによって堆積された後に、接着剤の厚さを増すことを可能にする。発泡剤または膨張剤は、接着剤の必要量を削減し、かつ生産コストおよび得られる医療用ドレープのコストを削減することができる。一部の実施形態では、表皮との接触で接着剤が暖められる可能性があるとき、表皮との接触領域が大きくなるようにするために、熱または光の適用は、表皮へ医療用ドレープを適用するまで遅らせてもよい。表皮への医療用ドレープの適用後の光または熱の適用は、表皮への医療用ドレープのシールを良好にする一方、強力な結合特性を保ち得る。
【００５８】
上述のような医療用ドレープおよびそれらの均等物は、標準的なドレープよりも薄くすることができ、高ＭＶＴＲを有することができ、かつ高い可撓性および適合性を有することができる。さらに、それらは、接着剤の厚さが厚いゆえに、漏れの発生回数を減らし得る。さらに、本明細書で説明した医療用ドレープおよびそれらの均等物は、生産コストが低いとし得る。本明細書の医療用ドレープおよびそれらの均等物はまた、より単純な適用および高通気性にさらされ、蒸発ドレッシングにおけるそれらの有用性を高め得る。さらに、支持層のない実施形態は、適用を単純にし、かつ廃棄物を減らし得る。
【００５９】
いくつかの実施形態およびそれらの利点を、いくつかの説明に役立つ非限定的な実施形態に照らして開示したが、添付の特許請求の範囲で定義するような本発明の範囲から逸脱せずに、様々な変更形態、代替形態、置換形態、および修正形態をなし得ることを理解されたい。一つの実施形態に関連して説明され得る特徴はまた、他の実施形態にも適用可能であり得ることを理解されたい。上述の利益および利点は、一実施形態に関連し得ること、またはいくつかの実施形態に関連し得ることも理解されたい。「１つの（ａｎ）」品目への言及は、１つ以上のそれら品目を指すことをさらに理解されたい。
【００６０】
本明細書で説明した方法のステップは、好適な順序で、または適切な場合、および当業者に理解される他の場合には、同時に実施し得る。
【００６１】
適切な場合には、上述の実施形態の態様を、説明する他の実施形態の態様と組み合わせて、類似のまたは異なる特性を有しかつ同じまたは異なる問題に対処する別の例を形成し得る。
【００６２】
上述の実施形態は例示にすぎず、当業者は様々な修正形態をなし得ることを理解されたい。上述の明細書、例、およびデータは、例示的な実施形態の構造および使用の完全な説明を提供する。様々な実施形態を、ある程度詳細に、または１つ以上の個々の図を参照して上記で説明したが、当業者は、特許請求の範囲から逸脱せずに、例示的な実施形態に多数の修正をなすことができる。
【図１】
0006293786.tif 000002
【図２】
0006293786.tif 000003
【図３】
0006293786.tif 000004
【図４】
0006293786.tif 000005
【図５Ａ】
0006293786.tif 000006
【図５Ｂ】
0006293786.tif 000007
【図６】
0006293786.tif 000008
【図７】
0006293786.tif 000009